(57)【要約】【課題】電線把持部の取り付け姿勢が正規取り付け状態に保持され取り付け不良を起こさず、しかも特殊な工具を用いることなく電線把持部を電線に取り付けることが出来るＵＨＶ送電線用に好適な電線用スペーサを提供する。【解決手段】正多角形の枠体(２３)を構成し、ボルトレス電線把持部(３０)をターミナル(１４)に連結してチャンバー(１５)に組み付けた際に、前記ボルトレス電線把持部(３０)の正規組み付け姿勢を保持するための回転防止ストッパー(２２)が設けられると共に、前記ボルトレス電線把持部(３０)の軸ボルト(４)の頭部に装着された係止片(２５)は軸ボルトの軸に対して水平方向に回転可能に組み付けられ、前記ボルトレス電線把持部(３０)の電線(Ｃ)への取り付けに際しては、特別の工具を要することなく長溝(２４)と直角に交差させて確実に係止できるように構成した、ことを特徴とする電線用スペーサ。【選択図】  図１
2009055659.tif 000002
【特許請求の範囲】
【請求項１】
把持する電線と同数の連結部材(２０)とチャンバー(１５)とを相互に結合させて多角形としたスペーサ枠体(２３)、把持する電線と同数のクランプ(１)、クランプ(２)、軸ボルト(４)、スプリング(５)、押しボルト(９)、およびターミナル(１４)、を備える電線用スペーサであって、
クランプ(１)およびクランプ(２)は、連結ピン(３)を中心として開閉自在な構造とされて、その間に電線を挟持し、
クランプ(１)およびクランプ(２)を貫通するように軸ボルト(４)が配置され、
軸ボルト(４)のクランプ(１)側端部には係止片(２５)が配設されて、その係止片(２５)を介して軸ボルト(４)とクランプ(１)とが係止され、
クランプ(２)には、軸ボルト(４)の端部側の留め部材(６,７)に負荷してクランプ(１)とクランプ(２)間に電線挟持力を与えるスプリング(５)と、軸ボルト(４)の端部を押圧して電線挟持力を解除するための押しボルト(９)と、が設けられ、
クランプ(２)は、ターミナル(１４)を介して円筒形状のチャンバー(１５)と連結され、
ターミナル(１４)は、クランプ(２)に装着される平板状のクレビス部(２８)と、チャンバー(１５)内部に回動可能に連結される円柱状のボルト首部(１６)と、を備え、
ターミナル(１４)とチャンバー(１５)との配置において、相互の回動角度を規制する手段を備える、ことを特徴とする電線用スペーサ。
【請求項２】
請求項１の電線用スペーサにおいて、
チャンバー(１５)には、クランプ(２)方向の端面に突起したストッパー部(２２)が設けられ、
チャンバー(１５)のストッパー部(２２)にターミナル(１４)のクレビス部(２８)を当接させることにより、ターミナル(１４)との回動角度を規制する、ことを特徴とする電線用スペーサ。
【請求項３】
把持する電線と同数の連結部材(２０)とチャンバー(１５)とを相互に結合させて多角形としたスペーサ枠体(２３)、把持する電線と同数のクランプ(１)、クランプ(２)、軸ボルト(４)、スプリング(５)、押しボルト(９)、およびターミナル(１４)、を備える電線用スペーサであって、
クランプ(１)およびクランプ(２)は、連結ピン(３)を中心として開閉自在な構造とされて、その間に電線を挟持し、
クランプ(１)およびクランプ(２)を貫通するように軸ボルト(４)が配置され、
軸ボルト(４)のクランプ(１)側端部には係止片(２５)が配設されて、その係止片(２５)を介して軸ボルト(４)とクランプ(１)とが係止され、
クランプ(２)には、軸ボルト(４)の端部側の留め部材(６,７)に負荷してクランプ(１)とクランプ(２)間に電線挟持力を与えるスプリング(５)と、軸ボルト(４)の端部を押圧して電線挟持力を解除するための押しボルト(９)と、が設けられ、
クランプ(２)は、ターミナル(１４)を介して円筒形状のチャンバー(１５)と連結され、
ターミナル(１４)は、クランプ(２)に装着される平板状のクレビス部(２８)と、チャンバー(１５)内部に回動可能に連結される円柱状のボルト首部(１６)と、を備え、
軸ボルト(４)と係止片(２５)とは、軸ボルト(４)の軸と直角方向に係止片(２５)が回動可能に設定される、ことを特徴とする電線用スペーサ。
【請求項４】
請求項３の電線用スペーサにおいて、
軸ボルト(４)と係止片(２５)との間には介在部材(３３)が介装され、相互の回動を規制する、ことを特徴とする電線用スペーサ。
【発明の詳細な説明】
【技術分野】
【０００１】
本発明は、多導体電線用のボルトレススペーサなどの電線用スペーサに係り、より詳細には、１相を構成する素導体条数が６〜１０本の電線で正多角形を構成される、直流または交流の超々高圧(ＵＨＶ)送電線用に使用されるのに好適な、多導体用ボルトレススペーサの構造に関するものである。
【背景技術】
【０００２】
従来のこの種のボルトレス電線把持部としては、例えば、特許文献１の第１〜１０図および特許文献２の図１〜３に記載されているものがある。
【特許文献１】実公平０７−０５６５７２号公報
【特許文献２】特開平０８−２２８４２２号公報
【０００３】
特許文献１の電線把持部を本願に添付した［図９〜１１］に示しているが、これらの［図９〜１１］において、符号(１')はボルトレス電線把持部本体であり、押え金(２')がピン(３')により回動自在に取り付けられていて、この両者により電線(４')が挟持されて把持される。また、ボルトレス電線把持部本体(１')には、電線(４')に対してピン(３')の反対側には後に述べるＴボルト(２１')が貫通する貫通穴(５')が設けられており、この貫通穴(５')に対して押え金(２')とは反対側に、上記貫通穴(５')の軸心をほぼ中心とするＵ形部(１１')がボルトレス電線把持部本体(１')に対して一体的に設けられている。更に、上記Ｕ形部(１１')の底部には後に述べるねじ部材例えば押しねじ(１３')が螺通するねじ穴(１２')が設けられている。更に又、電線(４')に対してピン(３')の反対側のボルトレス電線把持部本体(１')の先端には、このボルトレス電線把持部を例えばスペーサ枠体(図示していない)等に取り付けるための接続部(１４')が設けられている。
【０００４】
a
次に(２１')は先にも述べたＴボルトであり、その先端にはＴ部(２１'ｃ)が設けられていると共に、末端にはねじ部(２１'a)が形成されている。更に、押え金(２')の電線(４')に対してピン(３')と反対側端部には、第９図に示すように、貫通穴(５')に対応して叉部(１５')が形成されており、その幅ＬはＴボルト(２１')のＴ部(２１'ｃ)の幅より広く、かつ、貫通穴(５')にＴボルト(２１')が貫通されている場合で、Ｔ部(２１'ｃ)の長手方向が叉部(１５')の長手方向と一致している場合には、Ｔ部(２１'ｃ)は叉部(１５')を通過可能であり、また、上記両方向が相互に交差している場合には通過不可能に形成されている。
【０００５】
また、Ｔボルト(２１')のねじ部材(２１'ｂ)にはナット(７')及び座金(８')が設けられ、この座金(８')と貫通穴(５')が設けられているボルトレス電線把持部本体(１')との間には、弾性部材例えば圧縮コイルばね(９')が設けられており、ばね装置(１０')を構成している。
更に、ボルトレス電線把持部本体(１')のＵ形部(１１')の底部に形成のねじ穴(１２')に螺入されているねじ部材、例えば押しねじ(１３')がねじ込まれると、その先端は、Ｔボルト(２１')の末端端面に当接して、圧縮コイルばね(９')の張力に抗して、Ｔボルト(２１')をＴ部(２１'ｃ)側に移動させる。
【０００６】
従来のボルトレス電線把持部は、上記のように構成されているので、電線把持に際しては、Ｔボルト(２１')のＴ部(２１'ｃ)を叉部(１５')に合わせておくと共に、押しねじ(１３')をねじ込んでおく。この状態で電線(４')をボルトレス電線把持部本体(１')と押え金(２')との間に入れた後、押え金(２')を閉じて、ボルトレス電線把持部本体(１')に対向させる。このとき、押ねじ(１３')が戻された状態では、Ｔボルト(２１')のＴ部(２１'ｃ)は押え金(２')の叉部(１５')の中に入るが、Ｔ部(２１'ｃ)は押え金(２')の面から出ないために、Ｔボルト(２１')を回動してＴ部(２１'ｃ)を叉部(１５')に引っかけることができない。そこで、押しねじ(１３')を回転させて押し込むことにより、圧縮コイルばね(９')を圧縮すると共にＴボルト(２１')をＴ部(２１'ｃ)側へ移動させ、これによって、Ｔ部(２１'ｃ)を押え金(２')の面から突出させる。従って、この状態では、Ｔボルト(２１')は回動可能となる。
【０００７】
次に、Ｔボルト(２１')を回動して、Ｔ部(２１'ｃ)と叉部(１５')とを交差特に直交させ、続いて、押しねじ(１３')を戻して外し、圧縮コイルばね(９')により、Ｔボルト(２１')をそのねじ部(２１'a)方向に負荷し、Ｔ部(２１'ｃ)を押え金(２')の面に押圧させ、これによって、電線(４')を把持する。上記のＴボルト(２１')を回動してＴ部(２１'ｃ)と叉部(１５')とを交差、特に直交させる際には、Ｔ部(２１'ｃ)に二叉状の特殊工具(図示省略)を嵌合させて９０度回動して係止させるようにしている。
【０００８】
特許文献２の電線把持装置は、本願に添付した［図１２〜１４］に示すように、この電線把持装置(１００)は、クランプ本体(１Ａ)と、クランプ蓋体(１Ｂ)と、連結体であるＴ字ボルト(１０２)と、バネ体である第１バネ(１０(１０３))と、バネ受け部(１０４)と、押しボルト(１０５)を備えて構成されている。
【０００９】
上記のクランプ本体(１Ａ)は、半円柱状の第１凹部(Ｃ１)と、収納空間(１Ｃ)を有している。また、クランプ蓋体(１Ｂ)は、半円柱状の第２凹部(Ｃ２)と、ある幅のスリット(１Ｓ)を有するボルト係合部(１Ｇ)を有しており、ヒンジ(１１０)によりクランプ本体(１Ａ)に開閉可能に蝶着されている。このような構成により、クランプ蓋体(１Ｂ)をクランプ本体(１Ａ)側へ閉じると、第１凹部(Ｃ１)と第２凹部(Ｃ２)とのなす円柱状凹部内に電線(Ｗ)を挟持することができる(図１４参照)。
【００１０】
Ｔ字ボルト(１０２)は、クランプ係合部である頭部(２Ａ)、頭部(２Ａ)に固定された棒状部(２Ｂ)から形成されている。頭部(２Ａ)はクランプ蓋体((１Ｂ))に設けられたスリット(１Ｓ)を通る幅と、スリット(１Ｓ)の幅より大の長さを有したブロックの形状を有している。棒状部(２Ｂ)は円柱状部材からなり、その円周面に雄螺子部が設けられている。クランプ本体(１Ａ)の収納空間(１Ｃ)の一側にはＴ字ボルト(１０２)の棒状部(２Ｂ)が挿通可能な挿通孔(１Ｅ)が設けられており、棒状部(２Ｂ)は収納空間(１Ｃ)の内部に入り込んでいる。このような構成により、Ｔ字ボルト(１０２)の頭部(２Ａ)はクランプ本体(１Ａ)から棒状部(２Ｂ)の軸方向に移動可能で、かつ棒状部(２Ｂ)の軸を回転中心として回転可能となっている。
したがって、Ｔ字ボルト(１０２)の頭部(２Ａ)、棒状部(２Ｂ)の軸方向でクランプ本体１Ａ側へ移動させ、かつ棒状部(２Ｂ)の軸を回転中心として角度９０度だけ回転させると、水平部材の底面がクランプ蓋体(１Ｂ)のボルト係合部１Ｇの上面に係止し、クランプ本体１Ａとクランプ蓋体(１Ｂ)とを連結することができる。
【００１１】
また、第１バネ(１０３)は、弦巻バネであり、クランプ本体１Ａの収納空間１Ｃ内で、Ｔ字ボルト２の棒状部(２Ｂ)に貫通され、その一端がクランプ本体１Ａの一側の下面であるバネ支持部１Ｄにより支持され、他端がバネ受け部４により支持される。このような構成により、第１バネ(１０３)は、Ｔ字ボルト(１０２)をクランプ本体(１Ａ)に接近させる方向である第１方向に付勢する。
【００１２】
また、上記のバネ受け部４は、バネ支持体(１０６)と、ナット(１０７)と、蓋(１０８)と、第２バネ(１０９)を備えて構成されている。バネ支持体１０６)は、第１バネ(１０３)の他端を支持する平板状部材と中空円筒状部材とからなり、平板状部材の中央部にＴ字ボルト(１０２)の棒状部(２Ｂ)が回転可能に挿通できる挿通孔(６Ａ)が設けられている。ナット(１０７)は、Ｔ字ボルト(１０２)の棒状部(２Ｂ)の雄螺子部に螺合する雌螺子部を有しており、バネ支持体(１０６)の中空円筒状部材の内部に収納されるように棒状部(２Ｂ)に取り付けられている。バネ支持体(１０６)の平板状部材とは逆側の端部は開口となっており、この開口に蓋(１０８)が取り付けられる。この蓋(１０８)はバネ支持体(１０６)に対してＴ字ボルト(１０２)の軸方向に自由に動くことができ、蓋(１０８)とナット(１０７)との間にはガタ防止用の第２バネ(１０９)が配設され、Ｔ字ボルト(１０２)の棒状部(２Ｂ)の尾部と蓋(１０８)は直接接触しないように構成されている。したがって、蓋(１０８)を押圧すると圧縮力はバネ支持体(１０６)を介して第１バネ(１０３)に伝達され、Ｔ字ボルト(１０２)の棒状部(２Ｂ)の尾部には圧縮力は加わらない。
【００１３】
押しボルト(１０５)は、クランプ本体(１Ａ)の収納空間(１)Ｃの一側であって上記挿通孔(１Ｅ)が設けられている側部とは逆側の側部に設けられ雌螺子が形成されたボルト孔(１Ｆ)に螺合され、その先端が収納空間(１Ｃ)内のバネ受け部(１０４)の蓋(１０８)に当接するように構成されている。
【００１４】
次に図１２〜図１４を用いて、上記の電線把持装置(１００)の動作について説明する。上記の構成により、押しボルト(１０５)を回転させて締め込むと、押しボルト(１０５)の先端がバネ受け部(１０４)の蓋(１０８)を押圧し、これにより圧縮力がバネ支持体(１０６)を介して第１バネ(１０３)に加わるが、ナット(１０７)には常に上記の第２バネ(１０９)によるガタ防止程度の圧縮力が作用している。したがって、押しボルト(１０５)と、蓋(１０８)と、第１バネ(１０３)とは、押圧手段を構成している。すなわち、Ｔ字ボルト(１０２)の棒状部(２Ｂ)の尾部には圧縮力などが作用せず、無負荷状態となる。このため、Ｔ字ボルト(１０２)の頭部(２Ａ)はわずかな力、例えば素手で容易に回転させることができる。
【００１５】
一方、押しボルト(１０５)を締め込んで、ナット(１０７)を回転させ、ナット(１０７)を押しボルト(１０５)の締め込み方向と同じ方向に動かしてやると、第１バネ(１０３)に加わる圧縮力は増大していくから、第１バネ(１０３)は縮んでいき、バネ受け部(１０４)のバネ支持体(１０６)は上記バネ支持部(１Ｄ)の方へ移動していく。したがって、Ｔ字ボルト(１０２)の棒状部(２Ｂ)はクランプ本体(１Ａ)から突出していき、Ｔ字ボルト(１０２)の頭部(２Ａ)の底面とクランプ蓋体(１Ｂ)のボルト係合部(１Ｇ)の上面とが離れ、図１２に示したような状態となる。このように、Ｔ字ボルト２の棒状部(２Ｂ)に設けられた雄螺子部と、ナット(１０７)により、バネ支持体(１０６)が支持されるとともに、棒状部(２Ｂ)は無負荷状態で接続することができるから、Ｔ字ボルト(１０２)の棒状部(２Ｂ)に設けられた雄螺子部と、ナット(１０７)は、接続手段を構成している。
【００１６】
したがって、本実施例の電線把持装置(１００)の場合は、図１２に示した状態にした後、以下のような動作により電線等に取り付ける。
(１)クランプ蓋体(１Ｂ)を開き、クランプ本体(１Ａ)の第１凹部(Ｃ１)に電線(Ｗ)(図１４参照)を当てがい、クランプ蓋体(１Ｂ)を手で閉じ、電線(Ｗ)をクランプ本体(１Ａ)とクランプ蓋体(１Ｂ)で挟持する。
(２)片手でクランプ蓋体(１Ｂ)を閉じた状態で押えたまま、その手でＴ字ボルト(１０２)の頭部(２Ａ)を角度９０度回転させ、Ｔ字ボルト(１０２)の頭部(２Ａ)をクランプ蓋体(１Ｂ)のボルト係合部(１Ｇ)に係止させ、クランプ蓋体が開かないように仮止めする。
(３)押しボルト(１０５)をスパナ等の工具で緩めて取り外す(図１４参照)。
【００１７】
以上の説明をまとめると、半円柱状の第１凹部(Ｃ１)を有するクランプ本体(１Ａ)と、半円柱状の第２凹部(Ｃ２)とを有し、前記クランプ本体(１Ａ)に開閉可能にヒンジ(１１０)で蝶着され、前記クランプ本体側へ閉じることにより前記第１凹部と前記第２凹部によって形成される円柱状凹部内に電線(ｗ)を挟持するクランプ蓋体(１Ｂ)と、前記円柱凹部内に電線を挟持した前記クランプ本体と前記クランプ蓋体の間にかけられ、前記クランプ蓋体に係合可能な幅と係合関係の外れを防ぐ長さを有したＴ字ボルト(１０２)の頭部((２Ａ))、および前記クランプ本体を非固定的に貫通する字ボルト(１０２)の棒状部((２Ｂ))を有した挟持部材と、前記クランプ蓋体に係合した前記挟持部材の前記頭部を前記クランプ蓋体に押し付ける第１ばね(１０３)により弾性力を発生する弾性手段と、前記弾性力が前記挟持部材に作用しないように前記弾性手段と前記挟持部材の弾性的関係を解放する弾性力解除手段と、を備え、前記クランブ本体と前記クランプ蓋体の前記円柱状凹部内に電線を挟持し、前記弾性力解除手段によって前記弾性的関係を解放した状態で前記挟持部材の前記頭部を前記クランプ蓋体に係合させるとともに、前記挟持部材頭部を回転させて前記係合関係の外れを防ぎ、次に、前記弾性力解除手段による弾性的関係の解放を禁止して前記弾性手段の前記弾性力によって前記挟持部材の前記頭部を前記クランプ蓋体に押し付けるように構成された電線把持装置である。
【発明の開示】
【発明が解決しようとする課題】
【００１８】
特許文献１の従来装置は、上記のように構成され作用するので、電線把持力のばらつきも極めて小さく、押しねじの取外しによって所定の把持力を与えていることで施工後の確認ができ、トルクレンチも必要とせず、その他多くの利点を有する。しかし、一方において、Ｔ部を叉部に交差させて係合させる場合に、押しねじの取外しに使用するラチエットレンチの外に、Ｔボルトを交差・係合させるためには、押しねじによりＴボルト軸に圧縮力が負荷されているため、手動で交差・係合させる事が出来ず、押しねじの取外し用のラチエットレンチのほかに特殊な二叉状工具を必要とし、足場の不安定な高所においては２種類の取り付け工具を必要とするため、施工性が悪く不便であると言う解決すべき課題を有していた。
【００１９】
特許文献２の従来装置は、特許文献１の問題点が解決され、Tボルト頭部をクランプ蓋体(１Ｂ)への係止作業に当たっては特殊な工具を必要としない反面、Ｔボルト頭部を回動自在とするために、Ｔボルト頭部の他端側に設けるばね受け部の構造が複雑な機構となっており、多数のボルトレス電線把持部を必要とするＵＨＶ送電線用のスペーサにあっては、スペーサ全体の重量が増すと共に、コストアップの要因となる、という問題点を有していた。
【００２０】
また、上記いずれの特許文献にもボルトレス電線把持部の構造だけが示されてはいるが、ＵＨＶ送電線のように導体数が８〜１０条にもなる場合には、把持部を所定の向きに統一して電線に取り付けないと、把持部の突起などのコロナが発生しやすい鋭利な箇所が電位傾度の高い箇所に位置したりする。その結果、ラジオ、ＴＶ等への電波障害や、雨天時などではコロナ騒音を発生させるおそれがある。
そのような障害を防止するためには、把持部が遊動せず所定の位置姿勢を保持したまま電線に取り付けられる必要があるが、前記文献のスペーサにはそのような機能が説明されてないし、こうした問題を解決できるＵＨＶ送電線用のスペーサを提供できないという共通の問題があった。
【課題を解決するための手段】
【００２１】
かかる課題を解決して目的を達成するために、ＵＨＶ送電線などに好適な本発明の電線用スペーサは、つぎのような手段を用いる。
（１）把持する電線と同数の連結部材(２０)とチャンバー(１５)とを相互に結合させて多角形としたスペーサ枠体(２３)、把持する電線と同数のクランプ(１)、クランプ(２)、軸ボルト(４)、スプリング(５)、押しボルト(９)、およびターミナル(１４)、を備える電線用スペーサであって、
クランプ(１)およびクランプ(２)は、連結ピン(３)を中心として開閉自在な構造とされて、その間に電線を挟持し、
クランプ(１)およびクランプ(２)を貫通するように軸ボルト(４)が配置され、
軸ボルト(４)のクランプ(１)側端部には係止片(２５)が配設されて、その係止片(２５)を介して軸ボルト(４)とクランプ(１)とが係止され、
クランプ(２)には、軸ボルト(４)の端部側の留め部材(６,７)に負荷してクランプ(１)とクランプ(２)間に電線挟持力を与えるスプリング(５)と、軸ボルト(４)の端部を押圧して電線挟持力を解除するための押しボルト(９)と、が設けられ、
クランプ(２)は、ターミナル(１４)を介して円筒形状のチャンバー(１５)と連結され、
ターミナル(１４)は、クランプ(２)に装着される平板状のクレビス部(２８)と、チャンバー(１５)内部に回動可能に連結される円柱状のボルト首部(１６)と、を備え、
ターミナル(１４)とチャンバー(１５)との相互配置における回動角度を規制する手段を備える電線用スペーサとした。
（２）(１)の電線用スペーサにおいて、
チャンバー(１５)には、クランプ(２)方向の端面に突起したストッパー部(２２)が設けられ、
チャンバー(１５)のストッパー部(２２)にターミナル(１４)のクレビス部(２８)を当接させることにより、ターミナル(１４)との回動角度を規制する、としてもよい。
【００２２】
（３）把持する電線と同数の連結部材(２０)とチャンバー(１５)とを相互に結合させて多角形としたスペーサ枠体(２３)、把持する電線と同数のクランプ(１)、クランプ(２)、軸ボルト(４)、スプリング(５)、押しボルト(９)、およびターミナル(１４)、を備える電線用スペーサであって、
クランプ(１)およびクランプ(２)は、連結ピン(３)を中心として開閉自在な構造とされて、その間に電線を挟持し、
クランプ(１)およびクランプ(２)を貫通するように軸ボルト(４)が配置され、
軸ボルト(４)のクランプ(１)側端部には係止片(２５)が配設されて、その係止片(２５)を介して軸ボルト(４)とクランプ(１)とが係止され、
クランプ(２)には、軸ボルト(４)の端部側の留め部材(６,７)に負荷してクランプ(１)とクランプ(２)間に電線挟持力を与えるスプリング(５)と、軸ボルト(４)の端部を押圧して電線挟持力を解除するための押しボルト(９)と、が設けられ、
クランプ(２)は、ターミナル(１４)を介して円筒形状のチャンバー(１５)と連結され、
ターミナル(１４)は、クランプ(２)に装着される平板状のクレビス部(２８)と、チャンバー(１５)内部に回動可能に連結される円柱状のボルト首部(１６)と、を備え、
軸ボルト(４)と係止片(２５)とは、軸ボルト(４)の軸と直角方向に係止片(２５)が回動可能に設定される電線用スペーサとした。
（４）(３)の電線用スペーサにおいて、
軸ボルト(４)と係止片(２５)との間には介在部材(３３)が介装され、相互の回動を規制する、としてもよい。
【００２３】
また、本発明の電線用スペーサは、つぎのような手段を用いてもよい。
本発明のＵＨＶ送電線などに好適な送電線用ボルトレススペーサは、ボルトレス電線把持部(３０)を備え、そのボルトレス電線把持部(３０)は、クランプ(１)および(２)は連結ピン(３)を中心として開閉自在な構造とされ、クランプ(１)および(２)との間に電線を挟持すると共に、軸ボルト(４)及び軸ボルト(４)をねじ部側に負荷する締付けスプリング(５)とにより上記クランプ(１)にクランプ(２)を押圧し、上記ボルト(４)を係止片(２５)側に負荷する押しボルト(９)によって、クランプ(１)に対するクランプ(２)の押圧を解除するように構成されている。
【００２４】
送電線用ボルトレススペーサは、複数本の連結棒(２０)で同数のチャンバー(１５)を連結して、正多角形の枠体(２３)を構成し、前記チャンバー(１５)に、前記枠体(２３)に軸対称になるように、ターミナル(１４)を介してボルトレス電線把持部(３０)を放射状に取り付け、前記ボルトレス電線把持部(３０)をターミナル(１４)に連結してチャンバー(１５)に組み付けた際に、前記ボルトレス電線把持部(３０)の正規組み付け姿勢を保持するための回転防止ストッパー(２２)を、チャンバー(１５)の所定箇所に設けてなる。
【００２５】
送電線用ボルトレススペーサにおいて、前記回転防止ストッパー(２２)は略Ｖ字型に隆起した形状であって、チャンバー(１５)の外平面の２箇所に対向して設けられ、前記ボルトレス電線把持部(３０)の軸ボルト(４)のクランプ(２)側の頭部に装着されている係止片(２５)は、軸ボルト(４)に対して水平方向に回動自在に構成されていると共に、前記軸ボルト(４)の頭部側は、係止片(２５)と係止片固定スリーブ(３１)が軸ボルト(４)の先端に螺着され、該係止片固定スリーブ(３１)の外周を圧縮して、軸ボルト(４)に固定されている。
また、軸ボルト(４)への係止片(２５)の装着箇所には、軸ボルト(４)の周囲にリング状溝(３２)が彫設されて、該箇所にＯリング(３３)を装着して係止片(２５)の遊動を規制し、所望の位置に静止させ得る様に構成したことを特徴とする多導体送電線用ボルトレススペーサである。
【発明の効果】
【００２６】
本発明のボルトレススペーサでは、軸ボルト頭部は極めて簡単な機構で水平方向に回動自在に構成したので、押しねじによって軸ボルトに圧縮力が負荷されていても、特別な工具を用いることなく手動で容易クランプの長溝に交差係合させることが出来る。従って、高所においてのスペーサ取り付け作業が著しく容易な作業とすることが出来る。
【００２７】
また、軸ボルトと係止片との回動部分にはＯリングが装着されているため、係止片がみだりに遊動することなく、所望の位置に静止させ得る様に構成したので、確実に係止片を長溝(２４)と直角に交差させて係合させる事が出来、施工不良などが起きにくいボルトレススペーサを提供することが出来る。
【００２８】
また、ボルトレス電線把持部(３０)の正規組み付け姿勢を保持するための回転防止ストッパー(２２)を、チャンバー(１５)の外平面２箇所に対向して設けたので、ボルトレス電線把持部の方向がバラバラとなることなく、正常な取り付け姿勢に取り付け得るので、施工者の熟練の有無に拘わらず美観良く電線に取り付けることが出来る。
また、施工後の点検、特にクランプ(２)の長溝(２４)とボルト(４)のＴ部が、第７図のように直角に交差して係止されているか否かを、１方向から点検確認できるので、施工不良を確実になくすことができる。
【発明を実施するための最良の形態】
【００２９】
以下、本発明の実施の形態について、図１ないし図８を参照して説明する。
図１は、本発明のスペーサをＵＨＶ８導体送電線に適用した場合の８導体用のボルトレススペーサの正面図である。
図２は、ボルトレス把持部(３０１)の拡大断面図である。
図３は、超高圧送電線あるいはＵＨＶ送電線用の６導体ボルトレススペーサの正面図である。
【００３０】
まず、本発明のスペーサの構造につき説８導体用のボルトレススペーサを例にとって説明する。図１に示すごとく、８導体ボルトレススペーサは、円筒状のチャンバー(１５)に連結棒(２０)を溶接して８導体用フレームを形成する。８個のチャンバー(１５)は枠体(２３)の中心から約４５°の角度が設けられて間隔をあけて配置され、８個のチャンバー(１５)には把持部(３０１)〜(３０８)が左右対称に且つ放射状に取り付けられる。
【００３１】
なお、導体Ｃを把持する把持部(３０１)〜(３０８)は、コロナ特性の低下を避けるために、把持部の連結ピン(３)の位置を軸線から左右方向にずらしている。ここで、クランプ(１)および(２)は連結ピン(３)を中心として開閉自在な構造となっており、該箇所の曲率半径は通常設計ではＲ１０〜Ｒ１２ｍｍ程度で、該箇所をクランプ(２)の背面の曲率半径(上記電線直径に対する通常設計ではＲ１３０〜４５ｍｍ程度)と同程度の曲率半径とすると、肉厚が厚くなって把持部の重量が増すことになり、軽量化を図るために小さな曲率半径で設計されることが多い。
【００３２】
しかしながら、ＵＨＶ送電線用のスペーサなどでは一般の送電線よりも電位傾度が高くなるので、かかる曲率半径の小さな突起体となる箇所を軸線方向に一致して設けると、特に雨天時に雨滴などが該箇所に形成されやすくなり、一層鋭利な突起体が形成されてコロナが発生しやすく、コロナ騒音などの公害騒音源となる場合がある。
そこで本発明では、最も電位傾度が高くなる軸方向から、θだけ連結ピンの位置を変位させて、軸方向箇所の曲率半径が大きくし得るクランプ(２)の背面箇所が位置するようにして電界緩和を図る設計手法を採用した。θの具体的な値としては２５°〜４５°程度とするのがよい。
【００３３】
図２は図１の導体把持部(３０１)の拡大断面図であり、この断面図により本発明のボルトレスクランプの機能を説明する。
ボルトレス電線把持部(３０)のクランプ(１)および(２)は連結ピン(３)を中心として開閉自在な構造とされ、クランプ(１)および(２)との間に電線を挟持すると共に、軸ボルト(４)及び軸ボルト(４)をねじ部側に負荷する締付けスプリング(５)とにより、上記クランプ(１)にクランプ(２)を押圧し、上記ボルト(４)を係止片(２５)側に負荷する押しボルト(９)によって、クランプ(１)へのクランプ(２)の押圧を解除するように構成されている。
【００３４】
複数本の連結棒(２０)で同数のチャンバー(１５)を連結して、正多角形の枠体(２３)を構成し、前記チャンバー(１５)に、前記枠体(２３)に軸対称になるように、ターミナル(１４)を介してボルトレス電線把持部(３０)を放射状に取り付け、前記ボルトレス電線把持部(３０)をターミナル(１４)に連結してチャンバー(１５)に組み付けた際に、前記ボルトレス電線把持部(３０)の正規組み付け姿勢を保持するための回転防止ストッパー(２２)を、チャンバー(１５)の所定箇所に設けてある。
【００３５】
前記回転防止ストッパー(２２)は、図４に示すように、外側に向かって広がる扇型または略Ｖ字型に隆起した形状であって、チャンバー(１５)の外平面の２箇所に対向して設けられている。
また、前記ボルトレス電線把持部(３０)の軸ボルト(４)のクランプ(２)側の頭部に装着されている係止片(２５)は、その構成の詳細を図５〜図７に示すように、軸ボルト(４)に対して水平方向に回動自在に構成されていると共に、前記軸ボルト(４)の頭部側は、係止片(２５)と係止片固定スリーブ(３１)が軸ボルト(４)の先端に螺着され、該係止片固定スリーブ(３１)の外周を圧縮して軸ボルト(４)に固定した構成である。
【００３６】
また、軸ボルト(４)への係止片(２５)の装着箇所には、図５のＡ箇所の拡大図を図６に示してあるが、軸ボルト(４)の周囲にリング状溝(３２)が彫設されて、該箇所にＯリング(３３)を装着して係止片(２５)の遊動を規制し、所望の位置に静止させ得る様に構成してある。
なお、以上ではＯリングを用いる場合について説明したが、これに限定されず、帯状のバンドでも良く、さらに、図６において、Ｏリングを使用する代わりに、図示しないが、係止片(２５)と係止片固定スリーブ(３１)との間に皿バネなどを介在させて、係止片(２５)と係止片固定スリーブ(３１)間での摩擦を増大させて、係止片が遊動しないようにしても良い。
【００３７】
次に、軸ボルト(４)の所要の電線把持力を得るための、軸ボルトの締め付け有効長(ＬＴ)の決定方法について説明する。
図７のように電線(Ｃ)を把持した状態として、係止片(２５)を長溝(２４)に交差させた状態で、押しボルト(９)を押しボルト螺入孔(２９)から抜き去ったとき、所定の把持力(＝外力が作用したときボルトレスクランプと電線間でスリップなどが生じない規定の掌握力を言う)を有しなければならない。
そのためには、図６に示した軸ボルトの締め付け有効長(ＬＴ)を決める必要がある。
【００３８】
軸ボルトの締め付け有効長(ＬＴ)を決めるために、軸ボルト(４)の電線側にＯリング(３３)を装着した後、係止片(２５)を装着し、係止片固定スリーブ(３１)を螺着して、係止片(２５)が水平方向に可動となるように係止片固定スリーブ(３１)を外周方向から圧縮して軸ボルト(４)に固定する。
【００３９】
次に、図７のように電線(Ｃ)を把持した状態で、図５のように、軸ボルトの他端側に、締め付けばね(５)、平座金(６)、六角ナット(７)を装着して、所定の把持力が得られるまで前記六角ナット(７)を締め付け、この作業を多数のボルトレスクランプについて実施し、所定の把持力が得られるバラツキを考慮した締め付け有効長(ＬＴ)を予め求めておくのである。
各種の電線外径により前記(ＬＴ)は異なるが、それらについても同様な方法により求めておけば、ボルトレスクランプの組み立て工程の中で所定の位置まで六角ナット(７)を締め込んだ後、ナット固定スリーブ(８)を前記六角ナト(７)まで締め付けて圧縮固定すれば、安定した把持力を有するボルトレスクランプを得ることが出来る。
【００４０】
図８は、本発明のボルトレススペーサに用いられるターミナル(１４)の形状を示しており、それぞれ(イ)は平面図、(ロ)は側面図、(ハ)は底面図である。図から判るように、クランプ(１)のクレビス部(２８)に装着される箇所(２８１)は平板状で、ボルト側(１６１)がやや幅広い形状となっている。この理由は、先に図４で示した回転防止ストッパー(２２)に確実に当たってクランプ(１)が過大に回転しないようにするためであり、また、施工時においてクランプの方向を間違えて取り付けないようにする目的も兼ねているものである。(１８１)は溝付きナット装着用のねじ部、(１９１)は割りピン装着用の割りピン孔である。
なお、図１および図３において、実際に送電線に取り付けられた場合には押しボルト(９)は取り外されるものである。
【００４１】
［発明の効果］
以上説明したように本発明のＵＨＶ送電線用のボルトレススペーサによれば、書きするような顕著な効果を有するものである。
１)枠体に組み付けられたボルトレス把持部はチャンバー表面部に対向して設けられた回転防止ストッパーにより過大な遊動が規制され、運搬中や施工中に正規組み付け状態が崩れるおそれがなく、適正な取り付け施工が確実に出来る。
２)軸ボルトの係止片を軸に対して水平方向に回動自在としたので、クランプ(２)の長溝に係止するに際して特殊工具が不要で極めて簡単確実に係止出来るため、大幅に施工性が向上する。
【図面の簡単な説明】
【００４２】
【図１】本発明の８導体用ボルトレススペーサの正面図である。
【図２】ボルトレス電線把持部の拡大断面図である。
【図３】本発明の６導体用ボルトレススペーサの正面図である。
【図４】チャンバーの外表面２箇所に対向して設けた回転(回動)防止ストッパーの形状を示す立体斜視図である。
【図５】本発明ボルトレス電線把持部の一部切開正面図である。
【図６】図５のＡ部の拡大断面図である。
【図７】図５の右側面図である。
【図８】はアイボルトの形状を示す図で、(イ)は平面図、(ロ)は右側面図、(ハ)は底面図である。
【図９】は特許文献１のボルトレス電線把持部の正面図である。
【図１０】は図９の右側面図である。
【図１１】はＴボルトの斜視図である。
【図１２】は特許文献２の電線把持装置の一部欠截正面図である。
【図１３】は図１２に示す座金部の詳細を示す一部欠截正面図である。
【図１４】は図１２に示す電線把持装置を用いて電線を把持した状態を示す正面図である。
【符号の説明】
【００４３】
１，２    クランプ
３    連結ピン
４    軸ボルト
５    締め付けばね
６，１１，１７    平座金
７    六角ナット
８    ナット固定スリーブ
９    押しボルト
１０    連結ボルト
１０１    連結ボルト孔
１２    緩衝ばね
１３    スプリングピン
１４    ターミナル
１５    チャンバー
１６    コイルばね
１６１    連結ボルト首部
１８    溝付きナット
１８１    溝付きナット螺着部
１９    割りピン
１９１    割りピン挿入孔
２０    連結棒 (連結部材)
２１    上表示マーク
２２    回転(回動)防止用ストッパー
２３    枠体 (スペーサ枠体)
２４    長溝
２５    係止片
２６    Ｕ字状サドル部
２７    空洞部
２８    クレビス部
２９    押しボルト螺入孔
３０，３０１〜３０８    ボルトレス電線把持部
３１    係止片固定スリーブ
３２    リング状溝
３３    Ｏリング
１’    ボルトレス電線把持部本体
２’    押え金
３’    ピン
４’    電線
５’    貫通穴
７’    ナット
８’    座金
９’    圧縮コイルばね
１０’    ばね装置
１１’    Ｕ形部
１２’    ねじ穴
１３’    押しねじ
１４’    接続部
１５’    叉部
２１’    Ｔボルト
２１'a    ねじ部
２１’ｂ    ねじ部材
２１’ｃ    Ｔ部
１００    電線把持装置
１Ａ    クランプ本体
１Ｂ    クランプ蓋体
１Ｃ    収納空間
１Ｄ    ばね支持部
１Ｅ    挿通孔
１Ｆ    ボルト孔
１Ｇ    ボルト係合部
１Ｓ    スリット
２Ａ    頭部
２Ｂ    棒状部
Ｃ１    第１凹部
Ｃ２    第２凹部
６Ａ    挿通孔
１０２    Ｔ字ボルト
１０３    第１バネ
１０４    バネ受け部
１０５    押しボルト
１０６    バネ支持体
１０７    ナット
１０８    蓋
１０９    第２バネ
１１０    ヒンジ
Ｃ，Ｗ    電線
Ｌ    長孔の幅
ＬＴ   軸ボルトの締め付け有効長
θ    対称軸からのピンの偏位角度
【図１】
2009055659.tif 000003
【図２】
2009055659.tif 000004
【図３】
2009055659.tif 000005
【図４】
2009055659.tif 000006
【図５】
2009055659.tif 000007
【図６】
2009055659.tif 000008
【図７】
2009055659.tif 000009
【図８】
2009055659.tif 000010
【図９】
2009055659.tif 000011
【図１０】
2009055659.tif 000012
【図１１】
2009055659.tif 000013
【図１２】
2009055659.tif 000014
【図１３】
2009055659.tif 000015
【図１４】
2009055659.tif 000016